(57)【要約】      （修正有）【課題】持ち運びが容易な折りたたむ事ができる多段本棚を提供する。【解決手段】本棚は、前板１２、中板１３、背板１４、前板と中板の間を連結する下部底板１５および中板と背板を連結する上部底板を側面から見て階段状に蝶番１６で連結、固定し背板から垂直に固定した支柱１９で支えることで自立する。前板と中板の間の下部幅止め１８、中板と背板の間の上部幅止めにより、下部底板と上部底板は平行に可動し、前板と中板との空間、中板と背板との空間が最大の時に前板と下部底板との間の下部筋交い１７、および中板と上部底板との間の上部筋交いで固定すると本棚として使用でき、空間が最小になるように２つの筋交いを外して折りたたむと収納時の形状となる。【選択図】図１
0003224582.tif 000002
【実用新案登録請求の範囲】
【請求項１】
蝶番でそれぞれの板を接合した間を筋交いで固定する構造の本などを置ける什器。
【考案の詳細な説明】
【技術分野】
【０００１】  本考案はアクリル板などの板状の物を蝶番でそれぞれを結合し、筋交いでそれらを固定し本などを置ける空間を確保できる折り畳み式什器に関する。
【背景技術】
【先行技術文献】
【特許文献】
【非特許文献】
【考案の概要】
【考案が解決しようとする課題】
【０００２】  見本展などで展示用什器の本棚を運搬する際に組み立て済の本棚はその冊数分の幅や厚み（奥行）分の大きさや重さになってしまい運搬には不向きである。【０００３】  組み立て式の本棚は存在するがそれぞれの部品をはめ込むなどの組み立て作業が発生する。【０００４】  本考案は、組み立て済みや組み立て式の本棚等が有する問題を折り畳み式本棚で運搬しやすい什器を実現することを目的とする。
【課題を解決するための手段】
【０００５】  本考案は上記目的を達成する為にアクリル板等を蝶番でそれぞれを固定、連結しその板との間を筋交いで固定することで本等を置く空間を確保する。
【考案の効果】
【０００６】  可動する板同士は固定していた筋交いを外すと畳むことができる構造なので使用する板厚の枚数ちかくまで厚みを小さくする事ができる。【０００７】  全ての部品が繋がっているので紛失の心配がない。【０００８】  使用する時は折りたたんでいた板を広げ筋交いを固定し本を置ける空間を確保し背面にある支え棒を収納位置から棚を保持する位置へ固定すると本棚は安定する。【０００９】  板を連結すれば任意の段数まで増やすことができその連結位置によって２段目以降の被りシロが変更できる。
【図面の簡単な説明】
【００１０】
【図１】図１は本考案の折りたたみ式本棚の実施例を示す棚を広げた状態の側面図である。
【００１２】
【図２】図２は本考案の折りたたみ式本棚の実施例を示す棚を畳んだ状態の側面図である。
【実施例】
【００１３】  以下、添付図面に従って実施例を説明する。図１の支柱（１９）と支柱台（２０）は固定ネジ（１９）で結合されている。それぞれの底板（１５）と蝶番（１６）で固定されている前板（１２）、中板（１３）および背板（１４）が直角になる位置で筋交い（１７）を固定ネジ（１７ａ）および（１７ｂ）で固定すると幅止め板（１８）が前、中、背板を支えるので物体を置ける空間が確保される。固定用底板と当棚を置くテーブル等をクランプ等で固定すると前から後方へ押される力に耐えられるので転倒防止になる。【００１４】  収納する場合は前側固定ネジ（１７ａ）を外すと筋交いの効力ななくなり図２のように収める事ができる。垂直に立てていた支柱（１９）は支柱固定ネジ（１９ａ）を緩め支柱を水平にしてそのネジを締めその支柱を固定すると突起が少なくなる。【００１５】  この実施例は２段ひな壇型の什器である。それぞれの板の大きさや組み合わせで段数、前後の被りの高さ等が変更可能である。
【符号の説明】
【００１６】    （１１）    固定用底板
（１２）    前板
（１３）    中板
（１４）    背板
（１５）    底板
（１６）    蝶番
（１７）    筋交い
（１７ａ）  前側固定ネジおよび固定台
（１７ｂ）  後側固定ネジおよび固定台
（１８）    幅止め板
（１８ａ）  前側固定ネジおよび固定台
（１８ｂ）  後側固定ネジおよび固定台
（１９）    支柱
（１９ａ）  支柱固定ネジ
（２０）    支柱固定台
【図１】
0003224582.tif 000003
【図２】
0003224582.tif 000004
【手続補正書】
【提出日】令和1年6月5日(2019.6.5)
【手続補正１】
【補正対象書類名】実用新案登録請求の範囲
【補正対象項目名】全文
【補正方法】変更
【補正の内容】
【実用新案登録請求の範囲】
【請求項１】
前板と底板と中板底部、中板と底板と背板底部のそれぞれを蝶番により接続し、可動式にした前板上部と中板および中板上部と背板を幅止め板で接続し、前板と中板および中板と背板は平行に可動し、前板と中板および中板と背板との空間が可変する構造でその空間が最小になる状態が折りたたんだ状態、最大になる位置が本等を置ける状態で、その空間が最大となった位置は前板とその前板と中板の間にある底板との角度は直角となりその前板とその底板を筋交いで固定、および中板とその中板と背板との間にある底板との角度は直角となりその中板とその底板を筋交いで固定すると、前板と中板および中板と背板との空間を保持する構造を基本とする多段折り畳み式本棚。
【手続補正書】
【提出日】令和1年8月9日(2019.8.9)
【手続補正１】
【補正対象書類名】実用新案登録請求の範囲
【補正対象項目名】全文
【補正方法】変更
【補正の内容】
【実用新案登録請求の範囲】
【請求項１】
ほぼ垂直に立てた任意の高さおよび横幅の前板（以降前板）の中ほどの高さと任意の高さおよび横幅の中板（以降中板）の下端を任意の幅の底板（以降底板１とする）をそれぞれ蝶番で接続し、同じく中板の中ほどの高さと任意の高さおよび横幅の背板（以降背板）底部を任意の幅の底板（以降底板２とする）をそれぞれ蝶番により接続、可動式となった前板上端と中板を底板１と平行な幅止め（以降幅止め１）を設置し、同じく中板上端と背板を底板２と平行な幅止め（以降幅止め２）を設置することで、前板と中板および中板と背板はそれぞれ平行に可動し、前板と中板および中板と背板との空間が可変する構造は、その空間が最小になる状態が折りたたんだ状態、最大になる位置が本等を置ける状態で、その空間が最大となった位置は前板とその前板と底板１との角度は直角で同様に中板と底板２との角度も直角であり、前板と底板１を筋交（以降筋交い１）でねじ止めし、同様に中板と底板２を筋交い（以降筋交い２）でネジ止めし、前板と中板および中板と背板との空間を保持する構造を基本とする多段折り畳み式本棚で中板、底板、幅止めや筋交いを任意の数にすることで１段から複数段（多段）にすることができ、背板から垂直に近い角度の支柱で支えると自立する構造である。なお筋交い１と筋交い２のネジを外すと折りたたんだ状態にすることができる。
【手続補正書】
【提出日】令和1年10月23日(2019.10.23)
【手続補正１】
【補正対象書類名】実用新案登録請求の範囲
【補正対象項目名】全文
【補正方法】変更
【補正の内容】
【実用新案登録請求の範囲】
【請求項１】
前板、中板、背板、前板と中板の間を連結する底板１および中板と背板を連結する底板２を側面から見て前板、底板１、中板、底板２および背板を階段状に蝶番で連結、固定し背板から垂直に固定した支柱で支える構造にすることで自立し、その形状は直角三角形でアルファベットのＡの形にも似ている。
前板と中板の間の幅止め１、中板と背板の間の幅止め２は底板１および底板２は平行な位置で可動式のため前板と中板との空間、中板と背板との空間は変化し最大の時に前板と底板１との間の筋交い１および中板と底板２との間の筋交い２で固定すると本棚等として使用でき、その空間が最小の時になるよう筋交い１および筋交い２を外し折りたたむと収納時の形状となる。
背板に垂直に取り付けた支柱は可動式で水平に固定すれば収納時の位置である。
よって前述した階段状の本棚を可動式にする事で折りたたみ構造になった多段折りたたみ式本棚。